(57)【要約】    【課題】  画面のボケ及びゴースト像の発生を抑制するとともにぎらつき感の発生をも抑制して高画質な投射画像を得ることができる透過型スクリーンを提供する。    【解決手段】  フレネルレンズシート１３２と、レンチキュラーレンズ１３４と、光学ビーズシート１４０とを備えた透過型スクリーン１３０であって、  光学ビーズシート１４０及びフレネルレンズシート１３２は、光学ビーズシート１４０の光沢度をＧｓ（６０°）とし、フレネルレンズシート１３２のヘイズ値をＨｚとし、フレネルレンズシート１３２の厚みをＴとし、透過型スクリーン１３０のシンチレーション値をＳＩ（＝Ｇｓ／（Ｔ・Ｈｚ））としたとき、ＳＩが所定範囲となる条件のもとで、決定されたＧｓ、Ｈｚ及びＴの値に基づいて設計されていることを特徴とする透過型スクリーン。【選択図】  図１
2005274929.tif 000002
【特許請求の範囲】
【請求項１】
光射出面にフレネルレンズが形成されたフレネルレンズシートと、このフレネルレンズシートの光射出面側に配置され光入射面にレンチキュラーレンズが形成されたレンチキュラーレンズシートと、前記フレネルレンズシートの光入射面側に配置された光拡散手段とを備えた透過型スクリーンにおいて、
前記光拡散手段及び前記フレネルレンズシートは、前記光拡散手段の光沢度をＧｓ（６０°）とし、前記フレネルレンズシートのヘイズ値をＨｚとし、前記フレネルレンズシートの厚さをＴとし、この透過型スクリーンのシンチレーション値をＳＩ（＝Ｇｓ（６０°）／（Ｔ・Ｈｚ））としたとき、ＳＩが所定範囲となる条件のもとで、決定されたＧｓ（６０°）、Ｈｚ及びＴの値に基づいて設計されていることを特徴とする透過型スクリーン。
【請求項２】
請求項１に記載の透過型スクリーンにおいて、
前記光拡散手段は、光入射面に多数の光学ビーズが配置された光学ビーズシートであることを特徴とする透過型スクリーン。
【請求項３】
請求項２に記載の透過型スクリーンにおいて、前記光学ビーズの直径が１０μｍ〜１５０μｍであることを特徴とする透過型スクリーン。
【請求項４】
請求項１〜３のいずれかに記載の透過型スクリーンにおいて、前記光拡散手段は、その光射出面には多数の突起が形成され、その光射出面を前記フレネルレンズシート側に向けた状態で前記フレネルレンズシートと接していることを特徴とする透過型スクリーン。
【請求項５】
請求項１〜３のいずれかに記載の透過型スクリーンにおいて、前記光拡散手段は、その光射出面がマット状態とされ、その光射出面を前記フレネルレンズシート側に向けた状態で前記フレネルレンズシートと接していることを特徴とする透過型スクリーン。
【請求項６】
請求項１〜３のいずれかに記載の透過型スクリーンにおいて、前記光拡散手段は、その光射出面には粘着剤が塗布されており、その光射出面を前記フレネルレンズシート側に向けた状態で前記フレネルレンズシートに固定されてことを特徴とする透過型スクリーン。
【請求項７】
請求項１〜３のいずれかに記載の透過型スクリーンにおいて、前記光拡散手段と前記フレネルレンズとは一体化されていることを特徴とする透過型スクリーン。
【請求項８】
投写光学ユニットと、導光ミラーと、請求項１〜７のいずれかに記載の透過型スクリーンとを備えたことを特徴とするリア型プロジェクタ。
【請求項９】
光射出面にフレネルレンズが形成されたフレネルレンズシートと、このフレネルレンズシートの光射出面側に配置され光入射面にレンチキュラーレンズが形成されたレンチキュラーレンズシートと、前記フレネルレンズシートの光入射面側に配置された光拡散手段とを備えた透過型スクリーンの設計を行う透過型スクリーンの設計方法であって、
前記光拡散手段の光沢度をＧｓ（６０°）とし、前記フレネルレンズシートのヘイズ値をＨｚとし、前記フレネルレンズシートの厚さをＴとし、この透過型スクリーンのシンチレーション値をＳＩ（＝Ｇｓ（６０°）／（Ｔ・Ｈｚ））としたとき、ＳＩが所定範囲となる条件のもとで、Ｇｓ（６０°）、Ｈｚ及びＴの値を決定することを特徴とする透過型スクリーンの設計方法。
【発明の詳細な説明】
【技術分野】
【０００１】
本発明は透過型スクリーン、リア型プロジェクタ及び透過型スクリーンの設計方法に関する。
【背景技術】
【０００２】
図７は、従来のリア型プロジェクタを説明するために示す図である。図７（ａ）は外観図であり、図７（ｂ）は断面図である。図８は、従来のリア型プロジェクタの問題点を説明するために示す図である。図８（ａ）は従来のリア型プロジェクタの要部を示す図であり、図８（ｂ）はそれに光線を追加した図である。
【０００３】
従来のリア型プロジェクタ９００は、図７に示すように、筐体９５０内に設置した投射光学ユニット９１０及び導光ミラー９２０と、筐体９５０前面に設置した透過型スクリーン９３０とを備え、投射光学ユニット９１０からの投射光を導光ミラー９２０で反射して透過型スクリーン９３０上に投射するように構成されている。
そして、透過型スクリーン９３０は、図８（ａ）に示すように、投射光学ユニット９１０（図８（ａ）では図示せず。）からの投射光を画面に対してほぼ垂直となるように屈折するフレネルレンズシート９３２と、投射光の拡散方向を制御するレンチキュラーレンズシート９３４とを備えている。
【０００４】
しかしながら、このような従来のリア型プロジェクタ９００においては、薄型化が進むと導光ミラー９２０と透過型スクリーン９３０とが近接した状態となるため、図８（ｂ）に示すように、フレネルレンズシート９３２の入射面９３２ｉと導光ミラー９２０との間の再帰反射に起因するゴースト像が発生することが知られている。この場合、投射光学ユニット９１０（図８（ｂ）では図示せず。）からの投射光Ｌは、導光ミラー９２０で反射されてフレネルレンズシート９３２に入射する。その後、本来の画像光となる正規投射光Ｌｃは、レンチキュラーレンズシート９３４に入射して視者側に投射される。一方、フレネルレンズシート９３２に入射する投射光Ｌの一部は、フレネルレンズシート９３２の入射面９３２ｉで反射される。この反射光Ｌｒは再び導光ミラー９２０で反射されて再帰反射光となり、フレネルレンズシート９３２に入射し、その後レンチキュラーレンズシート９３４を介して投射され、ゴースト像を生じさせるゴースト光Ｌｇとなる。
【０００５】
このため、このようなゴースト像の発生を抑制することのできるリア型プロジェクタが望まれていた。図９は、このようなゴースト像を抑制することのできる従来の別のリア型プロジェクタの要部を示す図である。図９（ａ）は従来の別のリア型プロジェクタ（１）の要部を示す図であり、図９（ｂ）は従来の別のリア型プロジェクタ（２）の要部を示す図である。
これらのうち従来の別のリア型プロジェクタ（１）９００ａは、図９（ａ）に示すように、フレネルレンズシートとして、光入射面９３２ａｉに微細凹凸Ａが形成されたフレネルレンズシート９３２ａを備えている。このため、このフレネルレンズシート９３２ａに入射する投射光は、光入射面９３２ａｉに形成された微細凹凸Ａにより、拡散して反射されるようになり、再帰反射光が効果的に抑制され、その結果、ゴースト像Ｌｇの発生が効果的に抑制されるようになる（例えば、特許文献１参照。）。
【０００６】
また、従来の別のリア型プロジェクタ（２）９００ｂは、図９（ｂ）に示すように、フレネルレンズシート９３２の光入射面側に、光入射面９３６ｉ及び光射出面９３６ｏに微細凹凸Ａが形成された光透過性シート９３６を備えている。このため、光透過性シート９３６に入射する投射光は、光入射面９３６ｉ及び光射出面９３６ｏに形成された微細凹凸Ａにより、拡散して反射されるようになり、再帰反射光が効果的に抑制され、その結果、ゴースト像の発生が効果的に抑制されるようになる（例えば、特許文献１参照。）。
【０００７】
このような従来の別のリア型プロジェクタ（１）９００ａや従来の別のリア型プロジェクタ（２）９００ｂにおいては、画面のボケを許容量に抑制しつつ再帰反射光を抑制するために、フレネルレンズシート９３２ａの入射面９３２ａｉ又は光透過シート９３６の光沢度（Ｇｓ）を３５％以下とし、フレネルレンズシート９３２ａ，９３２のヘイズ値を３３％以下としている。
【０００８】
しかしながら、上記した従来の別のリア型プロジェクタ９００ａ，９００ｂにおいては、フレネルレンズシートの入射面又は光透過シートの光沢度（Ｇｓ）、フレネルレンズシートのヘイズ値（Ｈｚ）の選択によっては、ぎらつき感を生じさせてしまうことがあった。
【０００９】
【特許文献１】特開２００４−４６６８号公報（図１、図５及び図９）
【発明の開示】
【発明が解決しようとする課題】
【００１０】
そこで、本発明は、画面のボケ及びゴースト像の発生を抑制するとともにぎらつき感の発生をも抑制して高画質な投射画像を得ることができる透過型スクリーン及びリア型プロジェクタを提供するとともに、そのように優れた透過型スクリーンを設計することのできる透過型スクリーンの設計方法を提供することを目的とする。
【課題を解決するための手段】
【００１１】
本発明の発明者は、上記課題を解決すべく鋭意努力した結果、フレネルレンズシートの光入射面側に光拡散手段を配置するとともに、この光拡散手段の光沢度（Ｇｓ（６０°））、フレネルレンズシートのヘイズ値（Ｈｚ）、フレネルレンズシートの厚さ（Ｔ）を、透過型スクリーンのシンチレーション値（ＳＩ）が所定範囲となる条件のもとで決定し、透過型スクリーンとして、これらのＧｓ、Ｈｚ及びＴに基づいて設計された透過型スクリーンを用いてリア型プロジェクタを構成することによって、透過型スクリーンにおけるぎらつき感の発生が効果的に抑制されることを見出し、本発明を完成するに至った。
【００１２】
本発明の透過型スクリーンは、光射出面にフレネルレンズが形成されたフレネルレンズシートと、このフレネルレンズシートの光射出面側に配置され光入射面にレンチキュラーレンズが形成されたレンチキュラーレンズシートと、前記フレネルレンズシートの光入射面側に配置された光拡散手段とを備えた透過型スクリーンにおいて、前記光拡散手段及び前記フレネルレンズシートは、前記光拡散手段の光沢度をＧｓとし、前記フレネルレンズシートのヘイズ値をＨｚとし、前記フレネルレンズシートの厚さをＴとし、この透過型スクリーンのシンチレーション値をＳＩ（＝Ｇｓ／（Ｔ・Ｈｚ））としたとき、ＳＩが所定範囲となる条件のもとで決定されたＧｓ、Ｈｚ及びＴの値に基づいて設計されていることを特徴とする。
【００１３】
このため、本発明の透過型スクリーンによれば、フレネルレンズシートの光入射面側には光拡散手段が配置されているため、画面のボケ及びゴースト像の発生を十分に抑制することができる。
また、本発明の透過型スクリーンによれば、光拡散手段の光沢度（Ｇｓ）、フレネルレンズシートのヘイズ値（Ｈｚ）、フレネルレンズシートの厚さ（Ｔ）が、透過型スクリーンのシンチレーション値（ＳＩ）が透過型スクリーンにおけるぎらつき感を十分抑制できるような所定範囲となる条件のもとで決定されているため、透過型スクリーンにおけるぎらつき感の発生を抑制することができる。
このため、本発明の透過型スクリーンによれば、画面のボケ及びゴースト像の発生を抑制するとともにぎらつき感の発生をも抑制して高画質な投射画像を得ることができるようになる。
【００１４】
また、本発明の透過型スクリーンにおいては、前記光拡散手段は、光入射面に多数の光学ビーズが配置された光学ビーズシートであることが好ましい。
【００１５】
このように構成することにより、光学ビーズの直径、光学ビーズの屈折率、光学ビーズの配置密度などを調整することによって、光拡散手段としての光沢度（Ｇｓ）を任意に調整することができるようになるため、フレネルレンズシートのヘイズ値（Ｈｚ）やその厚さ（Ｔ）を選択する際の自由度が高まり、その結果、さらに容易に、画面のボケ及びゴースト像の発生を抑制するとともにぎらつき感の発生をも抑制して高画質な投射画像を得ることができるようになる。
【００１６】
また、本発明の透過型スクリーンにおいては、前記光学ビーズの直径が１０μｍ〜１５０μｍであることが好ましい。
【００１７】
このように構成することにより、ぎらつき感の発生を効果的に抑制することが可能になる。
【００１８】
また、本発明の透過型スクリーンにおいては、前記光拡散手段は、その光射出面には多数の突起が形成され、その光射出面を前記フレネルレンズシート側に向けた状態で前記フレネルレンズシートと接していることが好ましい。
【００１９】
画面のボケを抑制するためには、光拡散手段とフレネルレンズシートとの距離を短くすること、言い換えれば、光拡散手段をフレネルレンズシートに密着することが好ましいが、このように光拡散手段をフレネルレンズシートに密着するようにすれば、モアレが発生し易くなるという問題がある。しかしながら、このように構成することによって、光拡散手段とフレネルレンズシートとの距離を短くしても、光拡散手段とフレネルレンズシートとが密着することがなくなり、その結果、モアレの発生を効果的に抑制することができるようになる。
【００２０】
また、本発明の透過型スクリーンにおいては、前記光拡散手段は、その光射出面がマット状態とされ、その光射出面を前記フレネルレンズシート側に向けた状態で前記フレネルレンズシートと接していることも好ましい。
【００２１】
このように構成することによっても、光拡散手段とフレネルレンズシートとの距離を短くしても、光拡散手段とフレネルレンズシートとが密着することがなくなり、その結果、モアレの発生を効果的に抑制することができるようになる。
【００２２】
また、本発明の透過型スクリーンにおいては、前記光拡散手段は、その光射出面には粘着剤が塗布されており、その光射出面を前記フレネルレンズシート側に向けた状態で前記フレネルレンズシートに固定されていることも好ましい。
【００２３】
このように構成することによっても、光拡散手段とフレネルレンズシートとの間に粘着剤層が介在することとなるため、光拡散シートとフレネルレンズシートとの距離を短くしても、モアレの発生を効果的に抑制することができるようになる。
【００２４】
また、本発明の透過型スクリーンにおいては、前記光拡散手段と前記フレネルレンズシートとは一体化されていることも好ましい。
【００２５】
このように構成することによっても、光拡散手段の光射出面とフレネルレンズシートの光入射面との間における干渉が起こらなくなるため、画面のボケを抑制するとともにモアレの発生を効果的に抑制することができるようになる。
【００２６】
本発明のリア型プロジェクタは、投射光学ユニットと、導光ミラーと、上記した本発明の透過型スクリーンとを備えたことを特徴とする。
【００２７】
このため、本発明のリア型プロジェクタによれば、上記のような透過型スクリーンを備えているため、画面のボケ及びゴースト像の発生並びにぎらつき感の発生が抑制された高画質なリア型プロジェクタとなる。
【００２８】
本発明の透過型スクリーンの設計方法は、光射出面にフレネルレンズが形成されたフレネルレンズシートと、このフレネルレンズシートの光射出面側に配置され光入射面にレンチキュラーレンズが形成されたレンチキュラーレンズシートと、前記フレネルレンズシートの光入射面側に配置された光拡散手段とを備えた透過型スクリーンの設計を行う透過型スクリーンの設計方法であって、前記光拡散手段の光沢度をＧｓとし、前記フレネルレンズシートのヘイズ値をＨｚとし、前記フレネルレンズシートの厚さをＴとし、この透過型スクリーンのシンチレーション値をＳＩ（＝Ｇｓ／（Ｔ・Ｈｚ））としたとき、ＳＩが所定範囲となる条件のもとで、Ｇｓ、Ｈｚ及びＴの値を決定することを特徴とする。
【００２９】
このため、本発明の透過型スクリーンの設計方法によれば、透過型スクリーンのシンチレーション値（ＳＩ）が透過型スクリーンにおけるぎらつき感が十分抑制できるような所定範囲となる条件のもとで、光拡散手段の光沢度（Ｇｓ）、フレネルレンズシートのヘイズ値（Ｈｚ）及びフレネルレンズシートの厚さ（Ｔ）を決定することができるため、画面のボケ及びゴースト像の発生並びにぎらつき感の発生を抑制して高画質な投射画像を得ることができる透過型スクリーンを設計することができるようになる。
【発明を実施するための最良の形態】
【００３０】
以下、本発明の透過型スクリーン、リア型プロジェクタ及び透過型スクリーンの設計方法を、実施の形態に基づいて詳細に説明する。
【００３１】
［実施形態１］
図１は、本発明の実施形態１に係る透過型スクリーンの断面構造を示す図である。
実施形態１に係るリア型プロジェクタ１００における透過型スクリーン１３０は、光射出面にフレネルレンズが形成されたフレネルレンズシート１３２と、フレネルレンズシート１３２の光射出面側に配置され光入射面にレンチキュラーレンズが形成されたレンチキュラーレンズシート１３４とを備えている。そして、フレネルレンズシート１３２の光入射面側には、再帰反射光を抑制するための光拡散手段として、光入射面に多数の光学ビーズ１４２が配置された光学ビーズシート１４０をさらに備えている。
【００３２】
実施形態１に係る透過型スクリーン１３０においては、光学ビーズシート１４０及びフレネルレンズシート１３２は、光学ビーズシート１４０の光沢度をＧｓ（６０°）とし、フレネルレンズシート１３２のヘイズ値をＨｚとし、フレネルレンズシート１３２の厚さをＴとし、透過型スクリーン１３０のシンチレーション値をＳＩ（＝Ｇｓ／（Ｔ・Ｈｚ））としたとき、ＳＩが所定範囲となる条件のもとでこれらＧｓ、Ｈｚ及びＴの値を決定し、これらのＧｓ、Ｈｚ及びＴの値に基づいて設計されている。
【００３３】
実施形態１に係る透過型スクリーン１３０においては、光学ビーズシート１４０の光沢度（Ｇｓ）は３０％であり、フレネルレンズシート１３２のヘイズ値（Ｈｚ）は９０％であり、フレネルレンズシート１３２の厚さ（Ｔ）は１ｍｍである。光学ビーズシート１４０とフレネルレンズシート１３２とは、その上下端が両面テープにて固定されている。
【００３４】
このため、実施形態１に係る透過型スクリーン１３０によれば、フレネルレンズシート１３２の光入射面側に光学ビーズシート１４０が配置されているので、画面のボケ及びゴースト像の発生を十分に抑制することができる。
また、実施形態１に係る透過型スクリーン１３０によれば、光学ビーズシート１４０の光沢度（Ｇｓ）、フレネルレンズシート１３２のヘイズ値（Ｈｚ）、フレネルレンズシート１３２の厚さ（Ｔ）が、透過型スクリーン１３０のシンチレーション値（ＳＩ）が透過型スクリーン１３０におけるぎらつき感を十分抑制できるような所定範囲となる条件のもとで決定されているため、透過型スクリーン１３０におけるぎらつき感の発生が十分に抑制されている。
このため、実施形態１に係る透過型スクリーン１３０によれば、画面のボケ及びゴースト像の発生を抑制するとともにぎらつき感の発生をも抑制して高画質な投射画像を得ることができるようになる。
【００３５】
また、実施形態１に係る透過型スクリーン１３０においては、再帰反射光を抑制するための光拡散手段として、光入射面に多数の光学ビーズが配置された光学ビーズシート１４０を用いているため、光学ビーズの直径、光学ビーズの屈折率、光学ビーズの配置密度などを調整することによって、光学ビーズシートの光沢度（Ｇｓ）を任意に調整することができるようになるため、フレネルレンズシートのヘイズ値（Ｈｚ）やその厚さ（Ｔ）を選択する際の自由度が高まり、その結果、さらに容易に、画面のボケ及びゴースト像の発生を抑制するとともにぎらつき感の発生をも抑制して高画質な投射画像を得ることができるようになる。
【００３６】
図２は、実施形態１の変形例に係る透過型スクリーンの断面構造を示す図である。
このリア型プロジェクタ１００ａにおける透過型スクリーン１３０ａは、実施形態１に係る透過型スクリーン１３０におけるフレネルレンズシート１３２の厚みを２倍に厚くしたものである。しかしながら、この透過型スクリーン１３０ａを設計する際には、光学ビーズシート１４０ａ及びフレネルレンズシート１３２ａは、光学ビーズシート１４０ａの光沢度をＧｓとし、フレネルレンズシート１３２ａのヘイズ値をＨｚとし、フレネルレンズシート１３２ａの厚さをＴとし、透過型スクリーン１３０ａのシンチレーション値をＳＩ（＝Ｇｓ／（Ｔ・Ｈｚ））としたとき、ＳＩが所定範囲となる条件のもとでこれらＧｓ、Ｈｚ及びＴの値を決定し、これらのＧｓ、Ｈｚ及びＴの値に基づいて設計されている。
【００３７】
実施形態１の変形例に係る透過型スクリーン１３０ａにおいては、光学ビーズシート１４０ａの光沢度（Ｇｓ）は３０％であり、フレネルレンズシート１３２ａのヘイズ値（Ｈｚ）は７０％であり、フレネルレンズシート１３２ａの厚さ（Ｔ）は２ｍｍである。光学ビーズシート１４０ａとフレネルレンズシート１３２ａとは、その上下端が両面テープにて固定されている。
【００３８】
このため、実施形態１の変形例に係る透過型スクリーン１３０ａによれば、フレネルレンズシート１３２ａの光入射面側に光学ビーズシート１４０ａが配置されているので、実施形態１に係る透過型スクリーン１３０の場合と同様に、画面のボケ及びゴースト像の発生を十分に抑制することができる。
また、実施形態１の変形例に係る透過型スクリーン１３０ａによれば、光学ビーズシート１４０ａの光沢度（Ｇｓ）、フレネルレンズシート１３２ａのヘイズ値（Ｈｚ）、フレネルレンズシート１３２ａの厚さ（Ｔ）が、透過型スクリーン１３０ａのシンチレーション値（ＳＩ）が透過型スクリーン１３０ａにおけるぎらつき感を十分抑制できるような所定範囲となる条件のもとで決定されているため、実施形態１に係る透過型スクリーン１３０の場合と同様に、透過型スクリーン１３０ａにおけるぎらつき感の発生が十分に抑制されている。
このため、実施形態１の変形例に係る透過型スクリーン１３０ａによっても、画面のボケ及びゴースト像の発生を抑制するとともにぎらつき感の発生をも抑制して高画質な投射画像を得ることができるようになる。
【００３９】
再び図１を参照して、実施形態１に係る透過型スクリーン１３０においては、光学ビーズ１４２の直径は１０μｍ〜１５０μｍの範囲内の値から適宜選択することができ、この範囲であれば、フレネルレンズシート１３２のヘイズ値（Ｈｚ）やその厚さ（Ｔ）との組み合わせで、画面のボケ及びゴースト像の発生を抑制するとともにぎらつき感の発生をも抑制して十分に高画質な投射画像を得ることができるようになる。
【００４０】
実施形態１に係る透過型スクリーン１３０においては、光学ビーズシート１４０の光射出面にはエンボス加工により多数の突起１４４が形成されている。そして、光学ビーズシート１４０は、光射出面をフレネルレンズシート１３２側に向けた状態でフレネルレンズシート１３２と接している。
【００４１】
画面のボケを抑制するためには、光学ビーズシート１４０とフレネルレンズシート１３２との距離を短くすること、言い換えれば、光学ビーズシート１４０をフレネルレンズシート１３２に密着することが好ましいが、このように光学ビーズシート１４０をフレネルレンズシート１３２に密着するようにすれば、モアレが発生し易くなるという問題がある。しかしながら、このように構成することにより、光学ビーズシート１４０とフレネルレンズシート１３２との距離を短くしても、光学ビーズシート１４０とフレネルレンズシート１３２とが密着されることがなくなり、その結果、モアレの発生を効果的に抑制することができるようになる。
【００４２】
上記したように、実施形態１に係るリア型プロジェクタ１００は、投射光学ユニット１１０と、導光ミラー１２０と、透過型スクリーン１３０とを備えているため、画面のボケ及びゴースト像の発生並びにぎらつき感の発生が抑制された高画質なリア型プロジェクタとなる。
【００４３】
実施形態１においては、上記したように、光射出面にフレネルレンズが形成されたフレネルレンズシート１３２と、このフレネルレンズシート１３２の光射出面側に配置され光入射面にレンチキュラーレンズが形成されたレンチキュラーレンズシート１３４と、フレネルレンズシート１３２の光入射面側に配置された光学ビーズシート１４０とを備えた透過型スクリーン１３０の設計を行う際に、光学ビーズシート１４０の光沢度をＧｓとし、フレネルレンズシート１３２のヘイズ値をＨｚとし、フレネルレンズシート１３２の厚さをＴとし、透過型スクリーン１３０のシンチレーション値をＳＩ（＝Ｇｓ／（Ｔ・Ｈｚ））としたとき、ＳＩが所定範囲となる条件のもとで、Ｇｓ、Ｈｚ及びＴの値を決定することとしたことにより、画面のボケ及びゴースト像の発生並びにぎらつき感の発生を抑制して高画質な投射画像を得ることができる透過型スクリーン１３０を設計することができるようになる。
しかしながら、この効果は、再帰反射光を抑制するための光拡散手段として光学ビーズシート以外の光拡散手段を用いた場合にも同様に得られる。
【００４４】
［実施形態２］
図３は、本発明の実施形態２に係る透過型スクリーンの断面構造を示す図である。
実施形態２に係る透過型スクリーン１３０Ｂは、光学ビーズシートの構成が、実施形態１に係る透過型スクリーン１３０と異なっている。すなわち、実施形態２に係る透過型スクリーン１３０Ｂは、図３に示すように、実施形態１に係る透過型スクリーン１３０の場合とは異なり、光射出面に多数の粒子１４６が配置されてマット状態とされた光学ビーズシート１４０Ｂを備えている。そして、この光学ビーズシート１４０Ｂは、光射出面をフレネルレンズシート１３２側に向けた状態でフレネルレンズシート１３２と接している。
【００４５】
このように、実施形態２に係る透過型スクリーン１３０Ｂは、光射出面に多数の粒子１４６が配置された光学ビーズシート１４０Ｂを備え、その光射出面をフレネルレンズシート１３２側に向けた状態でフレネルレンズシート１３２と接しているため、光学ビーズシート１４０Ｂとフレネルレンズシート１３２との距離を短くしても、光学ビーズシート１４０Ｂとフレネルレンズシート１３２とが密着されることがなくなり、その結果、実施形態１に係る透過型スクリーン１３０の場合と同様に、モアレの発生を効果的に抑制することができるようになる。
【００４６】
実施形態２に係る透過型スクリーン１３０Ｂは、上記以外の点については実施形態１に係る透過型スクリーン１３０と同様の構成を有しているため、実施形態１に係る透過型スクリーン１３０が有する効果を同様に有する。
【００４７】
［実施形態３］
図４は、本発明の実施形態３に係る透過型スクリーンの断面構造を示す図である。
実施形態３に係る透過型スクリーン１３０Ｃは、光学ビーズシートの構成が、実施形態１及び２に係る透過型スクリーン１３０，１３０Ｂと異なっている。すなわち、実施形態３に係る透過型スクリーン１３０Ｃは、図４に示すように、実施形態１及び２に係る透過型スクリーン１３０，１３０Ｂの場合とは異なり、光射出面に粘着剤が塗布された光学ビーズシート１４０Ｃを備えている。そして、この光学ビーズシート１４０Ｃは、光射出面をフレネルレンズシート１３２に向けた状態でフレネルレンズシート１３２に固定（貼り付け）されている。
【００４８】
このように、実施形態３に係る透過型スクリーン１３０Ｃは、光射出面に粘着剤が塗布された光学ビーズシート１４０Ｃを備え、その光射出面をフレネルレンズシート１３２側に向けた状態でフレネルレンズシート１３２に固定されている。これにより、光学ビーズシート１４０Ｃとフレネルレンズシート１３２との間に粘着剤層１４８が介在することとなるため、光学ビーズシート１４０Ｃとフレネルレンズシート１３２との距離を短くしても、実施形態１及び２に係る透過型スクリーン１３０，１３０Ｂの場合と同様に、モアレの発生を効果的に抑制することができるようになる。
【００４９】
実施形態３に係る透過型スクリーン１３０Ｃは、上記以外の点については実施形態１に係る透過型スクリーン１３０と同様の構成を有しているため、実施形態１に係る透過型スクリーン１３０が有する効果を同様に有する。
【００５０】
［実施形態４］
図５は、本発明の実施形態４に係る透過型スクリーンの断面構造を示す図である。
実施形態４に係る透過型スクリーン１３０Ｄは、光学ビーズシートとフレネルレンズとが接触していない点で、実施形態３に係る透過型スクリーン１３０Ｃと異なっている。
【００５１】
このように、実施形態４に係る透過型スクリーン１３０Ｄは、光学ビーズシート１４０Ｄとフレネルレンズシート１３２とが接触していない、すなわち、光学ビーズシート１４０Ｄとフレネルレンズシート１３２とが空気層１５０を介して配置されているため、実施形態３に係る透過型スクリーン１３０Ｃの場合と同様に、モアレの発生を効果的に抑制することができるようになる。
【００５２】
実施形態４に係る透過型スクリーン１３０Ｄは、上記以外の点については実施形態３に係る透過型スクリーン１３０Ｃと同様の構成を有しているため、実施形態３に係る透過型スクリーン１３０Ｃが有する効果を同様に有する。
【００５３】
［実施形態５］
図６は、本発明の実施形態５に係る透過型スクリーンの断面構造を示す図である。
実施形態５に係る透過型スクリーン１３０Ｅは、光学ビーズシート及びフレネルレンズの構成が、実施形態１〜４に係る透過型スクリーン１３０，１３０Ｂ，１３０Ｃ，１３０Ｄと異なっている。すなわち、実施形態５に係る透過型スクリーン１３０Ｅは、図６に示すように、実施形態１〜４に係る透過型スクリーン１３０，１３０Ｂ，１３０Ｃ，１３０Ｄの場合とは異なり、光学ビーズシートとフレネルレンズシートとは一体化されている。すなわち、フレネルレンズシート１３２Ｅの光入射面には、多数の光学ビーズ１４２が配置されている。
【００５４】
このように、実施形態５に係る透過型スクリーン１３０Ｅは、光学ビーズシートとフレネルレンズシートとが一体化されているフレネルレンズシート１３２Ｅを備えているので、光学ビーズシートの光射出面とフレネルレンズシートの光入射面との間における干渉が起こらなくなる。このため、実施形態１〜４に係る透過型スクリーン１３０，１３０Ｂ，１３０Ｃ，１３０Ｄの場合と同様に、モアレの発生を効果的に抑制することができるようになる。さらに、このようなフレネルレンズシート１３２Ｅを備えていることより、光拡散面とフレネルレンズ面との距離を短くしても、モアレの発生を効果的に抑制することができるようになる。
【００５５】
実施形態５に係る透過型スクリーン１３０Ｅは、上記以外の点については実施形態１〜４に係る透過型スクリーン１３０，１３０Ｂ，１３０Ｃ、１３０Ｄと同様の構成を有しているため、実施形態１〜４に係る透過型スクリーン１３０，１３０Ｂ，１３０Ｃ，１３０Ｄが有する効果を同様に有する。
【００５６】
以上、本発明の透過型スクリーン、リア型プロジェクタ及び透過型スクリーンの設計方法を、上記の各実施形態に基づいて説明したが、本発明は上記の各実施形態に限られるものではなく、その要旨を逸脱しない範囲において種々の態様において実施することが可能であり、例えば次のような変形も可能である。
【００５７】
（１）レンチキュラーレンズシート１３４の射出面側に、ブラックストライプや光拡散板や他の光学要素をさらに備えた透過型スクリーンとすることもできる。
【００５８】
（２）レンチキュラーレンズシート１３４の代わりに、マイクロレンズシートを備えた透過型スクリーンとすることもできる。
【図面の簡単な説明】
【００５９】
【図１】本発明の実施形態１に係る透過型スクリーンの断面構造を示す図。
【図２】実施形態１の変形例に係る透過型スクリーンの断面構造を示す図。
【図３】本発明の実施形態２に係る透過型スクリーンの断面構造を示す図。
【図４】本発明の実施形態３に係る透過型スクリーンの断面構造を示す図。
【図５】本発明の実施形態４に係る透過型スクリーンの断面構造を示す図。
【図６】本発明の実施形態５に係る透過型スクリーンの断面構造を示す図。
【図７】従来のリア型プロジェクタを説明するために示す図である。
【図８】従来のリア型プロジェクタの問題点を説明するために示す図。
【図９】従来の別のリア型プロジェクタの要部を示す図である。
【符号の説明】
【００６０】
１００，１００ａ、１００Ｂ，１００Ｃ，１００Ｄ，１００Ｅ，９００，９００ａ，９００ｂ…リア型プロジェクタ、１１０，９１０…投射光学ユニット、１２０，９２０…導光ミラー、１３０，１３０ａ，１３０Ｂ，１３０Ｃ，１３０Ｄ，１３０Ｅ，９３０…透過型スクリーン、１３２，１３２ａ，９３２…フレネルレンズシート、１３４，９３４…レンチキュラーレンズシート、１４０，１４０ａ，１４０Ｂ，１４０Ｃ，１４０Ｄ…光学ビーズシート、１４２…光学ビーズ、１４４…突起、１４６…粒子、１４８…粘着剤層、１５０…空気層、９３６…光透過性シート、Ａ…微細凹凸、Ｌ…投射光、Ｌｃ…正規光投射、Ｌｒ…反射光、Ｌｇ…ゴースト光
【図７】
2005274929.tif 000003
【図８】
2005274929.tif 000004
【図９】
2005274929.tif 000005
【図１】
2005274929.tif 000006
【図２】
2005274929.tif 000007
【図３】
2005274929.tif 000008
【図４】
2005274929.tif 000009
【図５】
2005274929.tif 000010
【図６】
2005274929.tif 000011